(57)【特許請求の範囲】
【請求項１】
画像表示部と、
前記画像表示部に、文字、数字、又は、記号の少なくとも１つを含む文字等を配列させた文字配列画像を出力する画像出力部と、
文書データの内容に沿って、前記文字配列画像の前記文字等を指示するようにカーソル画像を移動するカーソル出力部と、
前記文書データの内容を、前記文字配列画像の前記文字等の配列座標のデータに変換する変換部とを備え、
前記カーソル出力部は、前記配列座標のデータに基づいて、前記カーソル画像を移動させること、
を特徴とする文書表示変換器。
【請求項２】
画像表示部と、
前記画像表示部に、文字、数字、又は、記号の少なくとも１つを含む文字等を配列させた文字配列画像を出力する画像出力部と、
文書データの内容に沿って、前記文字配列画像の前記文字等を指示するようにカーソル画像を移動するカーソル出力部と、
前記文字等を入力する入力部とを備え、
前記カーソル出力部は、
前記入力部から入力された文書データに沿って、前記カーソル画像を移動させ、前記文字配列画像の前記文字等を指示し、
前記文書データが前記カーソル画像により表示されているときに、前記入力部から割込入力データの入力があった場合には、前記カーソル画像を前記割込入力データの内容に沿って、前記文字配列画像の前記文字等を指示するように移動すること、
を特徴とする文書表示変換器。
【請求項３】
請求項２に記載の文書表示変換器において、
前記画像表示部は、前記文書データの内容を、前記文字等を羅列して表示する羅列表示画像を出力する羅列画像出力部を備え、
前記羅列画像出力部は、前記割込入力データに合わせて前記羅列表示画像を表示すること、
を特徴とする文書表示変換器。
【請求項４】
請求項３に記載の文書表示変換器において、
前記カーソル出力部は、前記入力部から前記割込入力データの入力がなくなった場合には、前記カーソル画像を、表示していた前記文書データの内容に沿って、前記文字配列画像の前記文字等を指示するように移動し、
前記羅列画像出力部は、入力された前記割込入力データを消去し、表示していた前記文書データの内容を引き続き表示すること、
を特徴とする文書表示変換器。
【請求項５】
請求項１から請求項４までのいずれか１項に記載の文書表示変換器において、
前記文書データの表示する順序を、優先度に応じて変更する優先変更部を備えること、
を特徴とする文書表示変換器。
【請求項６】
請求項１から請求項５までのいずれか１項に記載の文書表示変換器において、
前記画像表示部は、前記文書データの内容を、前記文字等を羅列して表示する羅列表示画像を出力する羅列画像出力部を備えること、
を特徴とする文書表示変換器。
【請求項７】
請求項６に記載の文書表示変換器において、
前記文書データの内容を、前記文字配列画像の前記文字等の配列座標のデータに変換する変換部を備え、
前記変換部は、前記文書データが漢字を含む文書データであるときに、漢字を仮名に変換すること、
を特徴とする文書表示変換器。
【請求項８】
請求項１から請求項７までのいずれか１項に記載の文書表示変換器において、
前記画像出力部は、前記文書データに使用されている文字と同じ種類の文字を、前記文字配列画像に用いること、
を特徴とする文書表示変換器。
【請求項９】
請求項１から請求項８までのいずれか１項に記載の文書表示変換器において、
前記文字配列画像の文字は、ひらがな、カタカナ又は外国語の文字であること、
を特徴とする文書表示変換器。
【請求項１０】
請求項１から請求項９までのいずれか１項に記載の文書表示変換器と、
前記文書データを送信及び／又は受信する通信部と、
を備える通信端末機。
【発明の詳細な説明】
【技術分野】
【０００１】
本発明は、文書データを表示する文書表示変換器及び通信端末機に関するものである。
【背景技術】
【０００２】
携帯電話機などの通信端末機は、通信技術の発展にともないインターネットや電子メールなどの外部からの電子情報の交換が非常に利便になり、その活用方法も様々に変化している。画像や音楽データの配信だけでなく、ゲームや占いなどの遊戯性の高い情報の配信も可能となっている。その中で、特に占いは、占星術や姓名判断など数多くの占いサイトがインターネット上に存在しており、多くの人が携帯電話機などの通信端末機から利用している（例えば、特許文献１）。
【０００３】
特許文献１は、使用者がタロットカードを配置し、配置したタロットカードを携帯電話機に内蔵されたカメラにて撮像し、その撮像データを占いのサーバへ送信する。占いのサーバは、撮像データから占い結果を演算し、使用者へ返信する占いシステムである。このように、占い手法には種々の工夫がなされているが、占いの結果は常に文字情報を表示するだけであるので、遊戯性に乏しく飽きてしまうことが多い。
【特許文献１】特開２００４−３４４３０１
【発明の開示】
【発明が解決しようとする課題】
【０００４】
本発明の課題は、通信端末機の通信データを遊戯性のある表示に変換させる文字表示変換器及び通信端末機を提供することである。
【課題を解決するための手段】
【０００５】
本発明は、以下のような解決手段により、前記課題を解決する。なお、理解を容易にするために、本発明の実施形態に対応する符号を括弧内に付して説明するが、これに限定されるものではない。
請求項１の発明は、画像表示部（１２０）と、前記画像表示部（１２０）に、文字、数字、又は、記号の少なくとも１つを含む文字等を配列させた文字配列画像（１２Ａ）を出力する画像出力部（１２）と、文書データの内容に沿って、前記文字配列画像（１２Ａ）の前記文字等を指示するようにカーソル画像（１３Ａ）を移動するカーソル出力部（１３）と、前記文書データの内容を、前記文字配列画像（１２Ａ）の前記文字等の配列座標のデータに変換する変換部（１１）とを備え、前記カーソル出力部（１３）は、前記配列座標のデータに基づいて、前記カーソル画像（１３Ａ）を移動させること、を特徴とする文書表示変換器（１０）である。
請求項２の発明は、画像表示部（１２０）と、前記画像表示部（１２０）に、文字、数字、又は、記号の少なくとも１つを含む文字等を配列させた文字配列画像（１２Ａ）を出力する画像出力部（１２）と、文書データの内容に沿って、前記文字配列画像（１２Ａ）の前記文字等を指示するようにカーソル画像（１３Ａ）を移動するカーソル出力部（１３）と、前記文字等を入力する入力部（１３０、１３１）とを備え、前記カーソル出力部（１３０、１３１）は、前記入力部（１３０、１３１）から入力された文書データに沿って、前記カーソル画像（１３Ａ）を移動させ、前記文字配列画像（１２Ａ）の前記文字等を指示し、前記文書データが前記カーソル画像（１３Ａ）により表示されているときに、前記入力部（１３０、１３１）から割込入力データの入力があった場合には、前記カーソル画像（１３Ａ）を前記割込入力データの内容に沿って、前記文字配列画像（１２Ａ）の前記文字等を指示するように移動すること、を特徴とする文書表示変換器（１０）である。
請求項３発明は、請求項２に記載の文書表示変換器（１０）において、前記画像表示部は（１２０）、前記文書データの内容を、前記文字等を羅列して表示する羅列表示画像（１４Ａ）を出力する羅列画像出力部（１４）を備え、  前記羅列画像出力部（１４）は、前記割込入力データに合わせて前記羅列表示画像（１４Ａ）を表示すること、を特徴とする文書表示変換器（１０）である。
請求項４の発明は、請求項３に記載の文書表示変換器（１０）において、前記カーソル出力部（１３）は、前記入力部（１３０、１３１）から前記割込入力データの入力がなくなった場合には、前記カーソル画像（１３Ａ）を、表示していた前記文書データの内容に沿って、前記文字配列画像（１２Ａ）の前記文字等を指示するように移動し、前記羅列画像出力部（１４）は、入力された前記割込入力データを消去し、表示していた前記文書データの内容を引き続き表示することを特徴とする文書表示変換器（１０）である。
【０００７】
請求項５の発明は、請求項１から請求項４までのいずれか１項に記載の文書表示変換器（１０）において、前記文書データの表示する順序を、優先度に応じて変更する優先変更部（１５）を備えることを特徴とする文書表示変換器（１０）である。
【０００８】
請求項６の発明は、請求項１から請求項５までのいずれか１項に記載の文書表示変換器（１０）において、前記画像表示部（１２０）は、前記文書データの内容を、前記文字等を羅列して表示する羅列表示画像（１４Ａ）を出力する羅列画像出力部（１４）を備えることを特徴とする文書表示変換器（１０）である。
【０００９】
請求項７の発明は、請求項６に記載の文書表示変換器（１０）において、前記文書データの内容を、前記文字配列画像（１２Ａ）の前記文字等の配列座標のデータに変換する変換部（１１）を備え、前記変換部（１１）は、前記文書データが漢字を含む文書データであるときに、漢字を仮名に変換することを特徴とする文書表示変換器（１０）である。
【００１０】
請求項８の発明は、請求項１から請求項７までのいずれか１項に記載の文書表示変換器（１０）において、前記画像出力部（１２）は、前記文書データに使用されている文字と同じ種類の文字を、前記文字配列画像（１２Ａ）に用いることを特徴とする文書表示変換器（１０）である。
【００１１】
請求項９の発明は、請求項１から請求項８までのいずれか１項に記載の文書表示変換器（１０）において、前記文字配列画像（１２Ａ）の文字は、ひらがな、カタカナ又は外国語の文字であることを特徴とする文書表示変換器（１０）である。
【００１６】
請求項１０の発明は、請求項１から請求項９までのいずれか１項に記載の文書表示変換器（１０）と、前記文書データを送信及び／又は受信する通信部（１５０）とを備える通信端末機（１００）である。
【発明の効果】
【００１７】
以上説明したように、本発明によれば、以下のような効果がある。
（１）カーソル画像は、文書データの内容に基づいて文字配列画像の文字等に移動するので、文書データの内容を遊戯性のある表示（カーソル移動画像）にすることができる。
（２）文書表示変換器は、変換部を備えているので、文字配列画像の文字等の配列座標のデータを用いることにより、効率よくカーソル画像を移動させることができる。
（３）文書表示変換器は、優先変更部を備えているので、優先度の高い文書データを先に表示することができる。
【００１８】
（４）羅列画像出力部は、文書データの内容を表示する羅列表示画像を出力するので、カーソル画像及び文字配列画像で表示された文字等の履歴を表示することができる。
（５）変換部は漢字を仮名に変換するので、漢字を含む文書データを文字配列画像により表示することができる。
（６）画像出力部は、文書データに使用されている文字と同じ種類の文字を、文字配列画像に用いるので、文書データの内容を正確に表示することができる。
【００１９】
（７）文書表示変換器は入力部を備えているので、文字配列画像及びカーソル画像により、文書データを遊戯性のある表示で作成することができる。
（８）文書データがカーソル移動画像により表示されているときに、入力部により割込入力データを入力することができるので、文書データの内容の表示を故意に変更することができる。
【００２０】
（９）入力部から割込入力データの入力がなくなった場合は、カーソル画像は、表示していた文書データの内容に基づいて文字配列画像の文字等へ移動し、羅列表示画像は、入力された割込入力データを消去し、表示していた文書データの内容を引き続き表示するので、文書データの内容を変更させることなくカーソル移動画像により、最後まで表示することができる。
（１０）通信端末機は、文書表示変換器及び通信部を備えているので、通信部で送受信した文書データを遊戯性のある表示に変換して見ることができる。
【発明を実施するための最良の形態】
【００２１】
本発明は、通信端末機の文書データを遊戯性のある表示に変換させる文字表示変換器及び通信端末機を提供するという目的を、文書データの内容に基づいて、文字配列画像の文字等にカーソル画像を移動させることによって実現する。
【実施例１】
【００２２】
以下、図面等を参照して、本発明の実施例をあげて、さらに詳しく説明する。
図１は、本発明による実施例１の文字表示変換器を備えた携帯電話機の詳細を示す図である。
携帯電話機１００は、図１に示すように、制御部１１０、画像表示部１２０、十字型キー部１３０、テンキー部１３１、メモリ部１４０、通信部１５０、及び、文書表示変換器１０を備えており、電話の通話だけでなく、インターネット及び電子メールによる文書データなどの情報を送受信することができる。
【００２３】
制御部１１０は、携帯電話機１００の各部を統合制御する制御回路を含んだＣＰＵである。
画像表示部１２０は、携帯電話機１００の電話番号の表示やインターネット及び電子メールの文書データの内容を表示する液晶モニタである。
十字型キー部１３０は、上下左右の各方向にキーが配置されている携帯電話機１００の操作部である。
テンキー部１３１は、文字、数字、記号その他のもの（以下、文字等という）を入力する入力部であって、０〜１０までの数字のキー及び複数の記号のキーを備え、電話番号などを入力する入力部である。また、各キーは、数字及び記号以外の文字（例えば、ひらがな、カタカナ、アルファベット、ハングル文字、アラビア文字、その他の外国語の文字）を入力できるように関連付けされている。例えば、「１」のキーを複数回押すことにより、「あ」、「い」、「う」を選択的に入力することができる機能などである。
メモリ部１４０は、携帯電話機１００により送受信した文書データなどを保存する不揮発性メモリである。
通信部１５０は、携帯電話機１００の電話通信、インターネットの通信、及び、電子メールの送受信を行なうアンテナを含んだ通信回路である。
【００２４】
文書表示変換器１０は、変換部１１、画像出力部１２、カーソル出力部１３、羅列画像出力部１４、及び、優先変更部１５を備えており、携帯電話機１００の画像表示部１２０に表示される文書データの内容の表示を遊戯性のある表示画像へと変換することができる。
変換部１１は、通信部１５０により受信した文書データの内容を、座標データに変換する回路を備えている。また、文書データで使用されている文字種類（ひらがな、カタカナなど）の情報を画像出力部１２へ、変換した座標データをカーソル出力部１３へ、文書データの内容を羅列画像出力部１４へと出力する回路も備えている。本実施例では、文書表示変換器１０で変換する文書データは、電子メールデータ及びインターネットから受信した占い結果データとする。
【００２５】
画像出力部１２は、変換部１１から入力した文字種類の情報に基づいて、同じ種類の文字及び数字（文字等）を縦横に配列させた文字配列画像１２Ａを画像表示部１２０に表示させる回路である。
カーソル出力部１３は、変換部１１から入力した座標データに基づいて、カーソル画像１３Ａが文字配列画像１２Ａの文字等へ移動するように表示させる回路である。
【００２６】
羅列画像出力部１４は、変換部１１から入力した文書データの内容に基づいて、文字等を羅列させる羅列表示画像１４Ａを表示させる回路であり、カーソル画像１３Ａが文字配列画像１１Ａ上を移動するのと同じタイミングにより、文字等を１字ずつ羅列させる。
優先変更部１５は、文書データの表示する順序を優先度に応じて変更する回路であり、本実施例では、最優先に、受信した電子メールデータを表示画面部１２０に表示し、それ以外のときには、占い結果データを表示するように設定されている。
【００２７】
次に、実施例１の携帯電話機１００に備えた文書表示変換器１０の使用方法について説明する。図２は、携帯電話機１００に備えた文書表示変換器１０の動作の流れを示した図である。本実施例の、文書表示変換器１０により変換される文書データは、前述したように、電子メールデータ及びインターネットから受信した占い結果データとする。
【００２８】
携帯電話機１００は、図２に示すように、インターネットで占いサイトへアクセスし（Ｓ２０１）、携帯電話機１００の使用者の生年月日、血液型等の情報を占いサイトへ送信し（Ｓ２０２）、送信された情報を基にして出された占い結果を占いサイトから受信し、占い結果データをメモリ部１４０に保存する（Ｓ２０３）。次に、文書表示変換器１０の優先変更部１５により、通信部１５０における電子メールデータの受信の有無を確認する（Ｓ２０４）。
【００２９】
電子メールデータの受信がない場合（Ｓ２０４、Ｎｏ）には、携帯電話機１００は、占い結果データを、変換部１１へ入力し座標データへと変換し（Ｓ２０５）、画像出力部１２、カーソル出力部１３、及び、羅列画像出力部１４から画像表示部１２０へ、文字配列画像１２Ａ、カーソル画像１３Ａ及び羅列表示画像１４Ａを出力し、占い結果を遊戯性のある画像で表示する（Ｓ２０６）。占い結果データの表示中に、電子メールデータの受信の有無を再び確認する（Ｓ２０７）。
【００３０】
電子メールデータの受信がある場合（Ｓ２０４又はＳ２０７、Ｙｅｓ）には、携帯電話機１００は、受信した電子メールデータをメモリ部１４０へ保存し（Ｓ２１０）、変換部１１により座標データへと変換し（Ｓ２１１）、画像出力部１２、カーソル出力部１３、及び、羅列画像出力部１４から画像表示部１２０へ、文字配列画像１２Ａ、カーソル画像１３Ａ及び羅列表示画像１４Ａを出力し、電子メールデータを遊戯性のある画像（カーソル移動画像）で表示する（Ｓ２１２）。電子メールデータを読み終えたら表示を終了させる（Ｓ２１３）。
【００３１】
変換部１１は、指令がない限り自動的に占い結果データの表示を繰り返すように設定されており、繰り返し表示が有効（Ｓ２０８、Ｙｅｓ）である場合は、電子メールデータの受信確認（Ｓ２０４）から再び動作を繰り返す。繰り返し表示が無効（Ｓ２０８、Ｎｏ）である場合は、文書表示変換器１０は、変換動作を全て終了し（Ｓ２０９）、携帯電話機１００の表示は従来の表示へと戻る。
【００３２】
次に、実施例１の文書表示変換器１０の文書データの変換方法について説明する。図３は、実施例１の変換部１１の変換則及び変換例を示す図であり、また、図４は、実施例１の文書表示変換器１０により変換された文書データの表示例を示す図である。
文書表示変換器１０の変換部１１は、図３（Ａ）に示すように、文字配列画像１２Ａの各文字列の縦横に行番号（０〜８行）及び段番号（０〜４段）が付された座標系により、文書データの文字を座標データへと変換することができる。
【００３３】
例えば、図３（Ｂ）に示すように、文書データの内容が「あめに」であるときに、その文書データが変換部１１へ入力されると、「あめに」の「あ」は、図３（Ａ）に示す変換則により、座標データ（０、０）と変換され、同様に、「め」は、座標データ（６、３）に、「に」は、座標データ（４、１）に変換される。文書データが「かえる」のときも、同様にして座標データ（１、０）（０、３）（７、２）と変換される。
【００３４】
画像出力部１２は、変換部１１から入力した文書データの文字種類（例えば、ひらがなやアルファベット）の情報に基づいて、文字配列画像１２Ａを画像表示部１２０に表示し、また、カーソル出力部１３は、変換部１１から入力した上述の座標データに基づいて、カーソル画像１３Ａが文字配列画像１２Ａの文字等に移動するように表示し、更に、羅列画像出力部１４は、文書ファイルの内容に基づいて、文字等を１字ずつ羅列する羅列表示画像１４Ａを表示する。
【００３５】
例えば、前述した文書データ「あめに」が変換部１１に入力されたときは、まず、文書データの文字にひらがなが使用されているので、画像出力部１２は、ひらがなが配列された文字配列画像１２Ａを画像表示部１２０に表示する。また、文書データ「あめに」が変換部１１により、座標データ（０、０）（６、３）（４、１）へと変換されてカーソル出力部１３へ入力され、カーソル出力部１３は、図４（Ａ）に示すように、カーソル画像１３Ａを文字配列画像１２Ａの「あ」の位置（座標データ（０、０））へ移動させ、それと同時に、羅列画像出力部１４は、羅列表示画像１４Ａに「あ」を表示する。
【００３６】
続いて、図４（Ｂ）に示すように、カーソル画像１３Ａを「め」の位置（座標データ（６、３））へ移動させ、それと同時に、羅列表示画像１４Ａの「あ」の隣に「め」を表示する。更に、図４（Ｃ）に示すように、カーソル画像１３Ａを「に」の位置（座標データ（４、１））へ移動させ、同時に、羅列表示画像部１４Ａに「あめに」を表示する。
このように、携帯電話機１００に設けられた文書表示変換器１０の機能により、単純であった文書データの表示を文字配列画像１２Ａ及びカーソル画像１３Ａにより遊戯性を持たせることができ、また、羅列表示画像部１４Ａにより表示した文書全体を見ることができる。
【００３７】
次に、遊戯性を更に高めるために、文書表示変換器１０に設けられた機能について説明する。図５は、実施例１の十字キー部１３０の入力を伴う文書データの表示例を示した図である。
上述したように、文書表示変換器１０により変換された文書データの内容が画像表示部１２０に表示されているときに、十字キー部１３０又はテンキー部１３１により何らかの文字（割込入力データ）が入力された場合は、文書データの表示内容に引き続き、割込入力データを表示することができる。また、十字キー部１３０又はテンキー部１３１による入力がなくなった場合は、割込入力データが画像表示部１２０から消去され、文書データの内容は、割込入力データの入力前の状態に戻り、表示を継続する。
【００３８】
例えば、文書データの内容が「あめにふられる」であり、文書表示変換器１０により変換された内容が画像表示部１２０に表示され、図５（Ａ）に示すように、カーソル画像１３Ａ及び羅列表示画像１４Ａが「あめにふられ」までを表示したときに、十字キー部１３０によりカーソル画像１３Ａを「な」、「い」の順で移動させることにより、図５（Ｂ）に示すように、羅列表示画像１４Ａを「あめにふられない」とすることができる。
しかし、十字キー部１３０の入力がなくなったときには、十字キー部１３０で入力された「ない」は、図５（Ｃ）に示すように、羅列表示画像１４Ａから消去され、カーソル画像１３Ａは、十字キー部１３０の入力前の位置（「れ」の位置）へ戻り、図５（Ｄ）に示すように、文書データの内容である「あめにふられる」の表示を継続する。
【００３９】
このような機能は、例えば、文書データが占い結果データであり、その占い結果が使用者の期待にそぐわないときに、使用者が自ら十字キー部１３０で占い結果を書き換えてしまうなどに使用することができ、遊戯性を高めて占い結果（文書データ）を見ることができる。また、使用者が入力した内容は、入力を終えた時点で消去されるので、正確な占い結果（文書データ）を見ることも可能である。
【００４０】
以上より、実施例１の携帯電話機１００には以下のような効果がある。
（１）カーソル画像１３Ａは、文書データの内容に基づいて文字配列画像１２Ａの文字等に移動するので、文書データの内容を遊戯性のあるカーソル移動画像にすることができる。
（２）文書表示変換器１０は、変換部１１を備えているので、文字配列画像１２Ａの文字等の座標データを用いることにより、効率よくカーソル画像１３Ａを移動させることができる。
【００４１】
（３）文書表示変換器１０は優先変更部１５を備えているので、占い結果データよりも優先度の高い電子メールデータを先に表示することができる。
（４）羅列画像出力部１４は、文書データの内容を表示する羅列表示画像１４Ａを出力するので、カーソル画像１３Ａ及び文字配列画像１２Ａで表示された文字等の履歴を表示することができる。
【００４２】
（５）画像出力部１２は、文書データに使用されている文字と同じ種類の文字を、文字配列画像１２Ａに用いるので、文書データの内容を正確に表示することができる。
（６）文書データがカーソル移動画像により表示されているときに、十字キー部１３０及び／又はテンキー部１３１により割込入力データを入力できるので、文書データの内容の表示を故意に変更することができ、遊戯性を高めることができる。
【００４３】
（７）十字キー部１３０及び／又はテンキー部１３１から割込入力データの入力がなくなった場合には、カーソル画像１３Ａは、表示していた文書データの内容に基づいて文字配列画像１２Ａの文字等へ移動し、羅列表示画像１４Ａは、入力された割込入力データを消去し、表示していた文書データの内容を引き続き表示するので、文書データの内容を変更させることなく最後まで表示することができる。
（８）通信端末機１００は、文書表示変換器１０及び通信部１５０を備えているので、通信部１５０で送受信した文書データを遊戯性のある表示に変換することができる。
【００４４】
（変形例）
以上説明した実施例に限定されることなく、種々の変形や変更が可能であって、それらも本発明の均等の範囲内である。
（１）漢字から仮名へ変化する変換機能を変換部１１に持たせてもよい。変換部１１が漢字を仮名に変換することにより、漢字を含む文書データを、文字配列画像１２Ａ及びカーソル画像１３Ａで容易に表示することができる。
（２）実施例１では、受信した文書ファイルの表示に文書表示変換器１０の表示変換を用いたが、携帯電話機１００で文書データを作成するときに用いてもよい。これにより、遊戯性のある表示で文書データを作成することができる。
（３）実施例１では、携帯電話機１００に文書表示変換器１０を備えた例で説明したが、パーソナルコンピュータなどに備えてもよく、例えば、スクリーンセイバーや待受画面の変わりに用いることが可能である。
【図面の簡単な説明】
【００４５】
【図１】本発明による実施例１の文字表示変換器を備えた携帯電話機の詳細を示す図である。
【図２】本発明による実施例１の携帯電話機及び文書表示変換器の動作の流れを示す図である。
【図３】本発明による実施例１の変換部の変換則及び変換例を示す図である。
【図４】本発明による実施例１の変換された文書データの表示例を示す図である。
【図５】本発明による実施例１の十字キー部の入力を伴う文書データの表示例を示す図である。
【符号の説明】
【００４６】
１０  文書表示変換器
１１  変換部
１２  画像出力部
１２Ａ  文字配列画像
１３  カーソル出力部
１３Ａ  カーソル画像
１００  携帯電話機
１３０  十字キー部
１５０  通信部
【図１】
0004566938.tif 000002
【図２】
0004566938.tif 000003
【図３】
0004566938.tif 000004
【図４】
0004566938.tif 000005
【図５】
0004566938.tif 000006